(57)【要約】【課題】  簡素な構成において、ＰＣ鋼材に与えられる緊張荷重よりも大きな力でウェッジを押し込むことができる押し込み方法および押し込み装置を提供する。【解決手段】  複数のＰＣ鋼材（１７）のそれぞれを把持するウェッジ（３０）を、各ＰＣ鋼材が貫通するウェッジ受け部材（１９）の孔（１９ａ）に押し込むためのウェッジの押し込み方法である。複数のＰＣ鋼材のそれぞれを第１緊張力で緊張させた状態で、ウェッジを孔に押し込む第１工程と、第１ＰＣ鋼材に対して、第１緊張力よりも小さい第２緊張力を与えたときの反力を用いて、第１ＰＣ鋼材とは異なる第２ＰＣ鋼材に対応するウェッジを孔に再度、押し込む第２工程と、を有する。【選択図】  図１１
2011252323.tif 000002
【特許請求の範囲】
【請求項１】
複数のＰＣ鋼材のそれぞれを把持するウェッジを、前記各ＰＣ鋼材が貫通するウェッジ受け部材の孔に押し込むためのウェッジの押し込み方法であって、
前記複数のＰＣ鋼材のそれぞれを第１緊張力で緊張させた状態で、前記ウェッジを前記孔に押し込む第１工程と、
前記複数のＰＣ鋼材のうち、第１ＰＣ鋼材に対して、前記第１緊張力よりも小さい第２緊張力を与えたときの反力を用いて、前記第１ＰＣ鋼材とは異なる第２ＰＣ鋼材に対応する前記ウェッジを前記孔に再度、押し込む第２工程と、
を有することを特徴とするウェッジの押し込み方法。
【請求項２】
前記第２工程において、前記第１ＰＣ鋼材および前記第２ＰＣ鋼材を変更しながら、すべてのＰＣ鋼材に対応する前記ウェッジの押し込みを行うことを特徴とする請求項１に記載のウェッジの押し込み方法。
【請求項３】
前記第１ＰＣ鋼材は、前記複数のＰＣ鋼材のうち、前記第２ＰＣ鋼材を除く他のすべてのＰＣ鋼材であることを特徴とする請求項１又は２に記載のウェッジの押し込み方法。
【請求項４】
前記第１工程および前記第２工程において、同一の緊張ジャッキを用いて、前記ＰＣ鋼材の緊張および、前記ウェッジの押し込みを行うことを特徴とする請求項１から３のいずれか１つに記載のウェッジの押し込み方法。
【請求項５】
複数のＰＣ鋼材のそれぞれを把持するウェッジを、前記各ＰＣ鋼材が貫通するウェッジ受け部材の孔に押し込むためのウェッジの押し込み装置であって、
前記複数のＰＣ鋼材に対して緊張力を与えるとともに、前記ウェッジを前記孔に押し込む力を発生させる緊張ジャッキを有し、
前記緊張ジャッキは、
前記複数のＰＣ鋼材のそれぞれを第１緊張力で緊張させた状態で、前記ウェッジを前記孔に押し込むとともに、
前記複数のＰＣ鋼材のうち、第１ＰＣ鋼材に対して、前記第１緊張力よりも小さい第２緊張力を与えたときの反力を用いて、前記第１ＰＣ鋼材とは異なる第２ＰＣ鋼材に対応する前記ウェッジを前記孔に再度、押し込む、
ことを特徴とするウェッジの押し込み装置。
【請求項６】
前記緊張ジャッキに接続され、前記各ＰＣ鋼材に対応した前記ウェッジを押し込むための押し込み部材と、
前記ウェッジおよび前記押し込み部材の間に配置され、前記押し込み部材からの力を前記ウェッジに伝達する伝達部材と、
を有することを特徴とする請求項５に記載のウェッジの押し込み装置。
【請求項７】
前記緊張ジャッキに接続され、前記各ＰＣ鋼材に対応した前記ウェッジを押し込むための押し込み部材を有し、
前記押し込み部材は、長さを変更可能であることを特徴とする請求項５に記載のウェッジの押し込み装置。
【発明の詳細な説明】
【技術分野】
【０００１】
本発明は、ＰＣ鋼材を把持するウェッジを、ウェッジ受け部材の孔に押し込む技術に関するものである。
【背景技術】
【０００２】
ＰＣ鋼材の定着構造は、ＰＣ鋼材を定着用ウェッジにより把持して、緊張されたＰＣ鋼材の緊張力をＰＣ構造物に伝達するための構成である。定着用ウェッジは、ウェッジ受け部材の孔に押し込まれることにより、ＰＣ鋼材を把持する。定着構造を構成する緊張装置として、例えば、特許文献１に記載の装置が挙げられる。
【０００３】
特許文献１にも記載されているように、ジャッキを用いたウェッジの押し込みでは、ＰＣ鋼材を緊張させたときの緊張荷重よりも大きな力でウェッジをウェッジ受け部材（孔）に押し込むことができない。そこで、特許文献１に記載の装置では、圧力支持部材を用いることにより、所定の緊張荷重よりも大きな力を発生させて、ウェッジを押し込むようにしている。
【先行技術文献】
【特許文献】
【０００４】
【特許文献１】特許第４４１４９４８号
【発明の概要】
【発明が解決しようとする課題】
【０００５】
しかしながら、特許文献１に記載の装置では、圧力支持部材が必要となるため、装置の構成が複雑になったり、ウェッジの押し込み作業が複雑になったりしてしまう。
【０００６】
そこで、本発明の目的は、簡素な構成において、ＰＣ鋼材に与えられる緊張荷重よりも大きな力でウェッジを押し込むことができる方法を提供する。
【課題を解決するための手段】
【０００７】
本願第１の発明は、複数のＰＣ鋼材のそれぞれを把持するウェッジを、各ＰＣ鋼材が貫通するウェッジ受け部材の孔に押し込むためのウェッジの押し込み方法であって、複数のＰＣ鋼材のそれぞれを第１緊張力で緊張させた状態で、ウェッジを孔に押し込む第１工程と、第１ＰＣ鋼材に対して、第１緊張力よりも小さい第２緊張力を与えたときの反力を用いて、第１ＰＣ鋼材とは異なる第２ＰＣ鋼材に対応するウェッジを孔に再度、押し込む第３工程と、を有する。
【０００８】
本願第２の発明は、複数のＰＣ鋼材のそれぞれを把持するウェッジを、各ＰＣ鋼材が貫通するウェッジ受け部材の孔に押し込むためのウェッジの押し込み装置であって、複数のＰＣ鋼材に対して緊張力を与えるとともに、ウェッジを孔に押し込む力を発生させる緊張ジャッキを有する。緊張ジャッキは、複数のＰＣ鋼材のそれぞれを第１緊張力で緊張させた状態で、ウェッジを孔に押し込むとともに、複数のＰＣ鋼材のうち、第１ＰＣ鋼材に対して、第１緊張力よりも小さい第２緊張力を与えたときの反力を用いて、第１ＰＣ鋼材とは異なる第２ＰＣ鋼材に対応するウェッジを孔に再度、押し込む。
【発明の効果】
【０００９】
本発明によれば、第１ＰＣ鋼材に与えた第２緊張力の反力を用いて、第１ＰＣ鋼材とは異なる第２ＰＣ鋼材に対応したウェッジを押し込む力を発生させることができる。これにより、ウェッジを押し込むための専用の部材を用いる必要がない。
【図面の簡単な説明】
【００１０】
【図１】本発明の実施例１における定着構造を示す概略図である。
【図２Ａ】実施例１における定着ウェッジの構成を示す側面図である。
【図２Ｂ】図２ＡのＡ−Ａ断面図である。
【図３】実施例１において、ＰＣ鋼撚り線の緊張作業を説明する図である。
【図４】実施例１において、ＰＣ鋼撚り線の緊張作業を説明する図である。
【図５】実施例１において、ＰＣ鋼撚り線の緊張作業を説明する図である。
【図６】実施例１において、ＰＣ鋼撚り線の緊張作業を説明する図である。
【図７】実施例１において、ＰＣ鋼撚り線の緊張作業を説明する図である。
【図８】実施例１において、ＰＣ鋼撚り線の緊張作業を説明する図である。
【図９】実施例１において、ＰＣ鋼撚り線の緊張作業を説明する図である。
【図１０】実施例１において、ＰＣ鋼撚り線の緊張作業を説明する図である。
【図１１】実施例１において、定着ウェッジを再度押し込む作業を説明する図である。
【図１２】実施例２において、定着ウェッジを再度押し込む作業を説明する図である。
【図１３Ａ】実施例２における治具の構成を示す図である。
【図１３Ｂ】実施例２における治具の構成を示す図である。
【図１４】実施例２の変形例における治具の構成を示す図である。
【図１５Ａ】実施例３におけるウェッジ押し込みパイプの構成を示す図である。
【図１５Ｂ】実施例３におけるウェッジ押し込みパイプの構成を示す図である。
【図１６】２７本のＰＣ鋼撚り線を用いた構成において、定着ウェッジの押し込み手順を説明する図である。
【発明を実施するための形態】
【００１１】
以下、本発明の実施例について説明する。
【実施例１】
【００１２】
本実施例における定着構造について、図１を用いて説明する。図１は、橋梁の桁部分で用いられる定着構造を示す断面図である。本実施例の定着構造１は、ＰＣ鋼撚り線の緊張力（緊張荷重）を橋梁の桁部分１００に伝達することにより、桁部分１００の耐久性を向上させる。
【００１３】
桁部分１００の内部には、外管（鋼管）１１が配置されており、外管１１の内側には、シース１２が配置されている。シース１２は、例えば、ポリエチレン（ＰＥ）樹脂で形成することができる。シース１２の一端には、例えば溶着により、ライナー１３の一端が接続されている。
【００１４】
外管１１の一端には、トランペット１４の一端が接続されており、外管１１の外周面側にトランペット１４が位置している。また、外管１１の外周面とトランペット１４の内周面との間には、スペーサ１５が配置されており、スペーサ１５は、例えば、ゴムで構成することができる。トランペット１４の内側には、ライナー１３が配置されている。
【００１５】
ライナー１３の他端は、ガイド１６に接続されている。また、ライナー１３およびシース１２の内側には、複数のＰＣ鋼撚り線１７が配置されている。ＰＣ鋼撚り線１７の数は、適宜設定することができ、所定の緊張荷重を桁部分１００に作用させることができればよい。本実施例では、ＰＣ鋼撚り線１７として、複数本の素線を撚り合わせ、撚り線の外周面に樹脂（例えば、エポキシ樹脂）の層を形成したストランドを用いている。なお、ＰＣ鋼撚り線１７に限るものではなく、他の構成のＰＣ鋼材を用いることもできる。
【００１６】
ライナー１３およびガイド１６の外周には、スパイラル筋１８が配置されている。ガイド１６の一端側には、定着ブロック（ウェッジ受け部材）１９が配置されており、複数のＰＣ鋼撚り線１７は、定着ブロック１９を貫通している。また、定着ブロック１９には、スペーサ２０が固定されており、スペーサ２０は、ガイド１６の内側に配置される。さらに、定着ブロック１９には、グラウトキャップ２１が固定されており、グラウトキャップ２１は、定着ブロック１９から突出したＰＣ鋼撚り線１７の端部を覆っている。グラウトキャップ２１の内側に形成されたスペースには、グラウト材が充填される。
【００１７】
定着ブロック１９のうち、ＰＣ鋼撚り線１７が貫通する孔は、ＰＣ鋼撚り線１７の数だけ設けられている。また、定着ブロック１９の孔には、ＰＣ鋼撚り線１７に加えて、定着ウェッジ３０が挿入されている。定着ウェッジ３０は、ＰＣ鋼撚り線１７の数だけ設けられており、各ＰＣ鋼撚り線１７に対応して設けられている。
【００１８】
定着ウェッジ３０は、ＰＣ鋼撚り線１７の緊張力（緊張荷重）を定着ブロック１９に伝達させるために用いられる。定着ウェッジ３０は、図２Ａおよび図２Ｂに示すように、ＰＣ鋼撚り線１７の外周面を囲んでおり、３つのセグメント３１によって構成されている。図２Ａは、定着ブロック１９および定着ウェッジ３０の嵌合状態を示す図であり、図２Ｂは、図２ＡにおけるＡ−Ａ断面図である。
【００１９】
各セグメント３１のうち、ＰＣ鋼撚り線１７の外周面と対向する面（内周面）３１ａには、凹凸状に形成された歯が形成されている。また、各セグメント３１の外周面３１ｂは、ＰＣ鋼撚り線１７の長手方向に対して傾斜したテーパ面を有している。
【００２０】
定着ブロック１９に形成された孔１９ａは、定着ウェッジ３０の外周面（テーパ面）に沿った形状に形成されている。このため、定着ウェッジ３０が孔１９ａに進入するにつれて、定着ウェッジ３０の内周面（各セグメント３１の内周面３１ａ）は、ＰＣ鋼撚り線１７の外周面に密接することになる。すなわち、各セグメント３１の内周面３１ａに形成された歯が、ＰＣ鋼撚り線１７の外周面に食い込むことになる。
【００２１】
なお、本実施例では、定着ウェッジ３０を、３つのセグメント３１によって構成しているが、これに限るものではない。定着ウェッジ３０は、ＰＣ鋼撚り線１７の外周面と定着ブロック１９の孔１９ａとの間に形成されたスペースに挿入でき、ＰＣ鋼撚り線１７を把持できる構造を有していればよい。例えば、定着ウェッジ３０を、４つ以上のセグメントで構成することもできる。
【００２２】
本実施例の定着構造１においては、ＰＣ鋼撚り線１７に対して所定の緊張荷重が作用しているか否かを監視するための装置を設けておくことができる。具体的には、緊張荷重を監視するために、ロードセルを用いることができる。
【００２３】
次に、ＰＣ鋼撚り線１７を緊張させる作業の概要について説明する。
【００２４】
まず、図３に示すように、定着ブロック１９を貫通した各ＰＣ鋼撚り線１７に対して、定着ウェッジ３０を取り付け、定着ブロック１９の孔１９ａに定着ウェッジ３０を挿入する。定着ウェッジ３０の挿入は、例えば、叩き工具２００を用いることができる。なお、図３に示す状態よりも前の作業については、公知であるため、詳細な説明は省略する。また、図３では、定着構造１で用いられる複数のＰＣ鋼撚り線１７のうち、一部（３つ）のＰＣ鋼撚り線１７だけを示している。
【００２５】
次に、図４に示すように、各ＰＣ鋼撚り線１７に、緊張ジャッキ３００のウェッジ押しパイプ３１０を取り付け、ウェッジ押しパイプ３１０の内側にＰＣ鋼撚り線１７を位置させる。
【００２６】
ウェッジ押しパイプ３１０は、ＰＣ鋼撚り線１７の数だけ設けられており、ウェッジ押しパイプ３１０の一端には、定着ウェッジ３０と接触する接触部３１１が設けられている。ウェッジ押しパイプ３１０は、ＰＣ鋼撚り線１７の長手方向に延びているため、後述するように、定着ウェッジ３０に対する押し込み力を、ＰＣ鋼撚り線１７の周方向において略均一にすることができる。
【００２７】
ウェッジ押しパイプ３１０は、緊張ジャッキ３００の第１可動部（不図示）の駆動力を受けることによって、ＰＣ鋼撚り線１７の長手方向に沿って移動する。緊張ジャッキ３００は、後述するように、ＰＣ鋼撚り線１７を緊張させる力や、定着ウェッジ３０を押し込む力を発生させることができればよく、例えば、油圧式ジャッキやエアージャッキを用いることができる。
【００２８】
次に、緊張ジャッキ３００を定着ブロック１９に近づく方向にスライドさせ、図５に示すように、緊張ジャッキ３００の一端に形成された支持部３２０を定着ブロック１９のエッジに接触させる。支持部３２０は、定着ブロック１９の外周面に沿った形状に形成されている。支持部３２０を定着ブロック１９に接触させることにより、定着ブロック１９に対して、緊張ジャッキ３００を位置決めすることができる。
【００２９】
ここで、緊張ジャッキ３００の軸芯を、複数のＰＣ鋼撚り線１７の軸芯と一致させることが好ましい。緊張ジャッキ３００の軸芯とは、緊張ジャッキ３００の力が発生する領域の中心部分をいう。また、複数のＰＣ鋼撚り線１７の軸芯とは、複数のＰＣ鋼撚り線１７によって構成される１つの束における芯部分をいう。緊張ジャッキ３００の軸芯を、複数のＰＣ鋼撚り線１７の軸芯と一致させることにより、後述するように、複数のＰＣ鋼撚り線１７の緊張をバランス良く行ったり、ウェッジ押しパイプ３１０による定着ウェッジ３０の押し込みを効率良く行ったりすることができる。
【００３０】
図５に示す状態において、ＰＣ鋼撚り線１７は、緊張ジャッキ３００を貫通しており、ＰＣ鋼撚り線１７の先端側は、緊張ジャッキ３００の第２可動部３３０に形成された孔３３１から突出している。孔３３１は、ＰＣ鋼撚り線１７の数だけ設けられており、各孔３３１は、テーパ面を有している。また、第２可動部３３０は、上述した第１可動部とは独立して動作できるようになっており、ＰＣ鋼撚り線１７の長手方向に移動することができる。
【００３１】
次に、図６および図７に示すように、第２可動部３３０の孔３３１に対して、テンポラリーウェッジ４０を取り付ける。例えば、図３でも説明したように、叩き工具２００を用いて、テンポラリーウェッジ４０を孔３３１に挿入することができる。テンポラリーウェッジ４０は、ＰＣ鋼撚り線１７の数だけ設けられており、定着ウェッジ３０と同様の構成とすることができる。
【００３２】
テンポラリーウェッジ４０を孔３３１に挿入した後は、緊張ジャッキ３００の第２可動部３３０を図８の矢印Ｄ１の方向に移動させる。これにより、第２可動部３３０は、テンポラリーウェッジ４０を介して、ＰＣ鋼撚り線１７を矢印Ｄ１の方向に引っ張り、ＰＣ鋼撚り線１７は、伸びた状態となる。ＰＣ鋼撚り線１７を伸ばした後は、図９に示すように、ウェッジ押しパイプ３１０が定着ウェッジ３０を矢印Ｄ２の方向に移動させることにより、定着ウェッジ３０を定着ブロック１９の孔１９ａに押し込む。定着ウェッジ３０は、図９の実線で示す位置から、点線で示す位置まで移動することができる。
【００３３】
孔１９ａに対する定着ウェッジ３０の押し込みを完了した後は、緊張ジャッキ３００の第２可動部３３０を図１０の矢印Ｄ３の方向に移動させることにより、第２可動部３３０によるＰＣ鋼撚り線１７の緊張を解除する。ここで、ＰＣ鋼撚り線１７は、伸びた状態から自然状態に戻り、定着ウェッジ３０の内周面がＰＣ鋼撚り線１７の外周面に密接するとともに、定着ウェッジ３０の外周面が定着ブロック１９の孔１９ａに密接する。これにより、ＰＣ鋼撚り線１７は、定着ウェッジ３０によって把持され、所定の緊張状態に維持される。すなわち、ＰＣ鋼撚り線１７に対して、所定の緊張荷重を与えたままとすることができる。
【００３４】
ここで、ＰＣ鋼撚り線１７に与える緊張荷重が大きいほど、定着ウェッジ３０は、定着ブロック１９の孔１９ａに進入しやすくなる。言い換えれば、ＰＣ鋼撚り線１７に与える緊張荷重が小さいほど、定着ウェッジ３０を孔１９ａに押し込む力が小さくなり、定着ウェッジ３０によってＰＣ鋼撚り線１７を把持する力が不十分となることがある。
【００３５】
また、定着ウェッジ３０を定着ブロック１９に押し込むときの緊張ジャッキ３００の反力は、テンポラリーウェッジ４０を介してＰＣ鋼撚り線１７が受けるため（図８参照）、ＰＣ鋼撚り線１７に作用する緊張荷重よりも小さな荷重でしか定着ウェッジ３０を定着ブロック１９の孔１９ａに押し込むことができない。言い換えれば、ＰＣ鋼撚り線１７の緊張力が不十分であると、定着ブロック１９に対して定着ウェッジ３０を押し込む力が不十分となってしまう。
【００３６】
本実施例では、ＰＣ鋼撚り線１７に所定の緊張荷重を与えた状態（図１０に示す状態）において、定着ウェッジ３０を定着ブロック１９に対して更に押し込むことができる。すなわち、図１０に示す状態で定着ウェッジ３０が受ける荷重よりも大きな荷重で、定着ウェッジ３０を押し込むことができる。
【００３７】
この定着ウェッジ３０の押し込み動作について、図１１を用いて説明する。図１１では、説明を容易にするために、３つのＰＣ鋼撚り線１７ａ〜１７ｃだけを示している。
【００３８】
まず、３つのＰＣ鋼撚り線１７ａ〜１７ｃのうち、２つのＰＣ鋼撚り線１７ａ，１７ｂに対して、テンポラリーウェッジ４０ａ，４０ｂを取り付ける。ＰＣ鋼撚り線１７ｃには、テンポラリーウェッジ４０を取り付けない。そして、緊張ジャッキ３００の第２可動部３３０を図１１の矢印Ｄ１の方向に移動させることにより、ＰＣ鋼撚り線１７ａ，１７ｂに対して所定の荷重（Ｐ２）を与える。荷重（Ｐ２）の作用する方向は、ＰＣ鋼撚り線１７を伸ばす方向である。
【００３９】
ここで、ＰＣ鋼撚り線１７ａ，１７ｂは、本発明における第１ＰＣ鋼材に相当し、ＰＣ鋼撚り線１７ｃは、本発明における第２ＰＣ鋼材に相当する。
【００４０】
荷重（Ｐ２）は、ＰＣ鋼撚り線１７ａ〜１７ｃに予め与えられている荷重（Ｐ１）よりも小さい力である。荷重（Ｐ１）は、図１０に示す状態において、各ＰＣ鋼撚り線１７に作用している緊張力であり、荷重（Ｐ２）が作用する方向とは逆方向の力である。荷重（Ｐ２）は荷重（Ｐ１）よりも小さいため、緊張ジャッキ３００の第２可動部３３０が移動しても、定着ウェッジ３０ａ，３０ｂは移動せず、定着ウェッジ３０ａ，３０ｂは、定着ブロック１９の孔１９ａに押し込まれた状態に維持される。
【００４１】
一方、緊張ジャッキ３００に設けられた複数のウェッジ押し込みパイプ（押し込み部材）３１０のうち、ＰＣ鋼撚り線１７ｃに対応したウェッジ押し込みパイプ３１０は、定着ウェッジ３０ｃに接触している。ＰＣ鋼撚り線１７ａ，１７ｂに対応したウェッジ押し込みパイプ３１０は、定着ウェッジ３０ａ，３０ｂに接触していない。これにより、定着ウェッジ３０ｃだけが、ウェッジ押し込みパイプ３１０からの押し込み力を受けることになる。
【００４２】
本実施例における緊張ジャッキ３００は、複数のウェッジ押し込みパイプ３１０のうち、任意のウェッジ押し込みパイプ３１０だけを駆動することができるようになっている。すなわち、複数のウェッジ押し込みパイプ３１０を独立して駆動することができる。
【００４３】
なお、ＰＣ鋼撚り線１７ｃだけにウェッジ押し込みパイプ３１０を取り付けて、他のＰＣ鋼撚り線１７ａ，１７ｂには、ウェッジ押し込みパイプ３１０を取り付けないようにすることもできる。この場合であっても、定着ウェッジ３０ｃだけを押し込むことができる。
【００４４】
定着ウェッジ３０ｃだけに対して、ウェッジ押し込みパイプ３１０による押し込み力を作用させると、テンポラリーウェッジ４０ａ，４０ｂに作用させる荷重（Ｐ２）の反力を、定着ウェッジ３０ｃに作用させることができる。定着ウェッジ３０ｃに作用する荷重（Ｐ３）は、各テンポラリーウェッジ４０ａ，４０ｂに作用する荷重の合計（Ｐ２×２）となる。定着ウェッジ３０ｃに荷重（Ｐ３）を与えることにより、定着ウェッジ３０ｃを定着ブロック１９の孔１９ａに対して、更に押し込むことができる。
【００４５】
図１１に示す構成では、３つのＰＣ鋼撚り線１７ａ〜１７ｃのうち、２つのＰＣ鋼撚り線１７ａ，１７ｂに対して、テンポラリーウェッジ４０ａ，４０ｂを用いて荷重Ｐ２を作用させるとともに、１つのＰＣ鋼撚り線１７ｃに対応した定着ウェッジ３０ｃに対して荷重Ｐ３を作用させている。ここで、荷重Ｐ２，Ｐ３のいずれも発生していないＰＣ鋼撚り線１７が存在していてもよい。すなわち、押し込みの対象となる定着ウェッジ３０に対して荷重（Ｐ３）を加えることができればよく、荷重（Ｐ２）を作用させていないＰＣ鋼撚り線１７が存在していてもよい。
【００４６】
また、図１１を用いた説明では、２つのＰＣ鋼撚り線１７ａ，１７ｂに荷重（Ｐ２）を与えているが、いずれか一方のＰＣ鋼撚り線（言い換えれば、少なくとも１つのＰＣ鋼撚り線）だけに荷重（Ｐ２）を与えるだけでもよい。この場合には、定着ウェッジ３０ｃに加えられる荷重（Ｐ３）は、荷重（Ｐ２）と等しくなる。さらに、定着ウェッジ３０に与える荷重（目標荷重）が予め決まっていれば、定着ウェッジ３０に対して最終的に作用する荷重（図１１に示す例では、荷重Ｐ１および荷重Ｐ３の合計）が目標荷重となるように、荷重Ｐ３を決定すればよい。目標荷重は、定着ウェッジ３０がＰＣ鋼撚り線１７を確実に把持できるときの荷重として、予め実験等によって設定することができる。
【００４７】
図１１に示すように、定着ウェッジ３０ｃに対する押し込みが完了した後は、定着ウェッジ３０ｃの押し込み方法と同様の方法により、他の定着ウェッジ３０ａ，３０ｂを押し込むことができる。例えば、定着ウェッジ３０ａを押し込むときには、定着ウェッジ３０ｂ，３０ｃに対応したＰＣ鋼撚り線１７に対して荷重（Ｐ２）を与えて、定着ウェッジ３０ａに対して荷重（Ｐ３）を与えればよい。これにより、すべての定着ウェッジ３０ａ〜３０ｃに対して、緊張荷重（Ｐ１）よりも大きな荷重（Ｐ１＋Ｐ３）を与えることができ、定着ウェッジ３０ａ〜３０ｃによるＰＣ鋼撚り線１７の把持を強固にすることができる。
【００４８】
本実施例によれば、複数のＰＣ鋼撚り線１７を緊張させる緊張ジャッキ３００を用いて、ＰＣ鋼撚り線１７の緊張荷重よりも大きな力で定着ウェッジ３０を定着ブロック１９の孔１９ａに押し込むことができる。すなわち、引用文献１に記載の装置と比べて、定着ウェッジ３０を押し込むための専用の部材が不要となる。また、複数のＰＣ鋼撚り線１７を緊張させるときの同様の作業を行うだけで、定着ウェッジ３０を定着ブロック１９の孔１９ａに押し込むことができる。
【実施例２】
【００４９】
次に、本発明の実施例２について、図１２を用いて説明する。本実施例において、実施例１で説明した部材と同一の機能を有する部材については、同一符号を用い、詳細な説明は省略する。以下、実施例１と異なる点について、主に説明する。
【００５０】
本実施例の緊張ジャッキ３００では、第１可動部の動作によって、すべてのウェッジ押し込みパイプ３１０が一体となって移動するようになっている。すなわち、実施例１で説明したように、特定のウェッジ押し込みパイプ３１０だけを移動させることができない。なお、図１２に示す構成でも、定着ウェッジ３０ａ〜３０ｃのうち、定着ウェッジ３０ｃだけを定着ブロック１９の孔１９ａに押し込むようにしている。
【００５１】
本実施例において、ウェッジ押し込みパイプ３１０の接触部３１１と定着ウェッジ３０ｃとの間には、治具５０が配置されている。治具５０は、ウェッジ押し込みパイプ３１０からの押し込み力を定着ウェッジ３０ｃに伝達させるために用いられる。本実施例では、すべてのウェッジ押し込みパイプ３１０が一体となって移動するため、すべてのウェッジ押し込みパイプ３１０がすべての定着ウェッジ３０ａ〜３０ｃに対して同時に接触することになる。
【００５２】
そこで、治具５０を用いることにより、特定の定着ウェッジ３０ｃだけに荷重（Ｐ３）を作用させることができる。ここで、本実施例においても、ＰＣ鋼撚り線１７ａ，１７ｂには、テンポラリーウェッジ４０を介して荷重（Ｐ２）が作用しており、定着ウェッジ３０ｃに加えられる荷重（Ｐ３）は、荷重（Ｐ２×２）となる。
【００５３】
図１３Ａおよび図１３Ｂには、治具５０の構成（一例）を示す。ここで、図１３Ａは、ＰＣ鋼撚り線１７ｃの長手方向と直交する面内における治具５０の構成を示し、図１３Ｂは、図１３Ａの矢印Ｂで示す方向から見たときの側面図である。
【００５４】
治具５０は、２つのセグメント５１，５２によって構成され、これらのセグメント５１，５２は、互いに連結される。セグメント５１は、ＰＣ鋼撚り線１７ｃの外周面に沿った形状に形成されており、凹部５１ａを有する。セグメント５２は、凹部５１ａと係合する凸部５２ａを有している。治具５０を２つのセグメント５１，５２によって構成することにより、緊張ジャッキ３００（ウェッジ押し込みパイプ３１０を含む）をＰＣ鋼撚り線１７に取り付けたままの状態において、治具５０をＰＣ鋼撚り線１７に取り付けることができる。
【００５５】
一方、図１４に示す治具を用いることもできる。図１４に示す治具は、２つのセグメント５３，５４によって構成されており、セグメント５３は、３つのＰＣ鋼撚り線１７ａ〜１７ｃの外周面に沿った面を有している。セグメント５４は、セグメント５３に連結することができ、セグメント５３，５４によって、各ＰＣ鋼撚り線１７ａ〜１７ｃが囲まれる。
【００５６】
治具５０の形状は、上述した形状に限るものではない。すなわち、定着ウェッジ３０およびウェッジ押し込みパイプ３１０の間に配置され、ウェッジ押し込みパイプ３１０からの押し込み力を定着ウェッジ３０に伝達させることができればよい。
【００５７】
本実施例においても、実施例１と同様の効果を得ることができる。また、本実施例では、すべてのウェッジ押し込みパイプ３１０を一体的に駆動しているため、ウェッジ押し込みパイプ３１０を駆動する第１可動部の構成を簡素化することができる。
【実施例３】
【００５８】
次に、本発明の実施例３について、図１５Ａおよび図１５Ｂを用いて説明する。本実施例において、実施例１で説明した部材と同一の機能を有する部材については、同一符号を用い、詳細な説明は省略する。以下、実施例１，２と異なる点について、主に説明する。
【００５９】
図１５Ａおよび図１５Ｂは、ウェッジ押し込みパイプ３１０の先端に設けられる接触部３１１の構成を示す図である。図１５Ａは、接触部３１１が最も短い状態にあるときの図であり、図１５Ｂは、接触部３１１を伸ばした状態にあるときの図である。本実施例においても、実施例２と同様に、第１可動部の動作によって、すべてのウェッジ押し込みパイプ３１０が一体となって移動するようになっている。
【００６０】
接触部３１１は、３つの円筒部３１１ａ〜３１１ｃによって構成されており、各円筒部３１１ａ〜３１１ｃは、回転軸ＲＡを中心として、相対的に回転することができる。円筒部３１１ｂ，３１１ｃの内周面には、ネジ溝が形成されている。また、円筒部３１１ａの外周面には、円筒部３１１ｂ，３１１ｃのネジ溝と噛み合うネジ溝が形成されている。円筒部３１１ａを、円筒部３１１ｂ，３１１ｃに対して、回転軸ＲＡの周りで回転させると、円筒部３１１ａを矢印Ｓの方向に移動させることができる。すなわち、接触部３１１の長さを長くしたり、短くしたりすることができる。また、円筒部３１１ｂを円筒部３１１ａに対して回転させることにより、円筒部３１１ａの回転を阻止することができる。
【００６１】
図１５Ａおよび図１５Ｂに示す構造の接触部３１１を用いれば、特定のウェッジ押し込みパイプ３１０における接触部３１１だけを伸ばすことができ、特定のウェッジ押し込みパイプ３１０だけを定着ウェッジ３０に接触させることができる。具体的には、実施例１の図１１で説明した構成において、ＰＣ鋼撚り線１７ｃに対応したウェッジ押し込みパイプ３１０だけを、他のウェッジ押し込みパイプ３１０よりも長くして、定着ウェッジ３０ｃに接触させることができる。
【００６２】
なお、ウェッジ押し込みパイプ３１０を伸ばしたり、縮ませたりする構造は、図１５Ａおよび図１５Ｂで説明した構造に限るものではない。すなわち、ウェッジ押し込みパイプ３１０を複数の部材で構成し、これらの部材の係合位置を変化させることにより、ウェッジ押し込みパイプ３１０を伸ばしたり、縮ませたりすればよい。
【００６３】
本実施例においても、実施例１と同様の効果を得ることができる。また、本実施例では、接触部３１１を３つの円筒部３１１ａ〜３１１ｃで構成し、円筒部３１１ａ〜３１１ｃにおけるネジ溝の噛み合い状態を変えるだけであるため、緊張ジャッキ３００の構成を簡素化することができる。
【００６４】
上述した実施例１〜３の説明では、３つのＰＣ鋼撚り線１７を用いた場合について説明したが、図１６に示すように、例えば、２７本のＰＣ鋼撚り線１７を用いたときには、以下に説明する方法によって、各ＰＣ鋼撚り線１７に対応した定着ウェッジ３０を押し込むことができる。図１６は、ＰＣ鋼撚り線１７の長手方向と直交する面内において、２７本のＰＣ鋼撚り線１７の配置を示す図である。
【００６５】
まず、点線Ｆ１で囲まれたＰＣ鋼撚り線１７（９個）については、対応する定着ウェッジ３０に対して荷重Ｐ３を作用させる。点線Ｆ１で囲まれていないＰＣ鋼撚り線１７（１８個）のそれぞれについては、対応するテンポラリーウェッジ４０を用いて荷重（Ｐ２）を作用させる。これにより、荷重（Ｐ２×１８）の反力が、定着ウェッジ３０に作用する力となる。押し込み対象となる定着ウェッジ３０は、９個存在するため、各定着ウェッジ３０には、荷重（Ｐ２×１８／９）が作用する。そして、荷重（Ｐ２×１８／９）および荷重（Ｐ１）の合計が目標荷重となるように、荷重（Ｐ２）を設定することができる。
【００６６】
次に、一点鎖線Ｆ２で囲まれたＰＣ鋼撚り線１７（９個）については、対応する定着ウェッジ３０に対して荷重（Ｐ３）を作用させる。一点鎖線Ｆ２で囲まれていないＰＣ鋼撚り線１７（１８個）のそれぞれについては、対応するテンポラリーウェッジ４０を用いて荷重（Ｐ２）を作用させる。これにより、上述した場合と同様に、一点鎖線Ｆ２で囲まれたＰＣ鋼撚り線１７に対応する定着ウェッジ３０だけを押し込むことができる。
【００６７】
上述した処理により、点線Ｆ１および一点鎖線Ｆ２で囲まれたＰＣ鋼撚り線１７（１５個）に対応した定着ウェッジ３０を定着ブロック１９に押し込むことができる。次に、点線Ｆ１および一点鎖線Ｆ２で囲まれていないＰＣ鋼撚り線１７に対応した定着ウェッジ３０について、押し込み作業を行う。具体的には、定着ウェッジ３０の押し込みが行われたＰＣ鋼撚り線１７（１５個）については、テンポラリーウェッジ４０を用いて、荷重（Ｐ２）を作用させる。点線Ｆ１および一点鎖線Ｆ２で囲まれていないＰＣ鋼撚り線１７（１２個）については、対応する定着ウェッジ３０に対して荷重（Ｐ３）を作用させる。
【００６８】
ここで、荷重（Ｐ２×１５）の反力が、定着ウェッジ３０に作用する力となる。押し込み対象となる定着ウェッジ３０は、１２個存在するため、各定着ウェッジ３０には、荷重（Ｐ２×１５／１２）が作用する。荷重（Ｐ２×１５／１２）および荷重（Ｐ１）の合計が目標荷重となるように、荷重（Ｐ２）を設定することができる。
【００６９】
なお、図１６を用いて説明した方法は、一例であり、定着ウェッジ３０を押し込む順序は、適宜設定することができる。
【符号の説明】
【００７０】
１：定着構造                      １１：外管
１２：シース                      １３：ライナー
１４：トランペット                １５：スペーサ
１６：ガイド                      １７：ＰＣ鋼撚り線（ＰＣ鋼材）
１８：スパイラル筋                １９：定着ブロック（ウェッジ受け部材）
１９ａ：孔                        ２０：スペーサ
２１：グラウトキャップ            ３０：定着ウェッジ
３１：ウェッジセグメント          ４０：テンポラリーウェッジ
５０：治具                        １００：桁部分
２００：叩き工具                  ３００：緊張ジャッキ
３１０：ウェッジ押し込みパイプ（押し込み部材）
３２０：支持部                    ３３０：第２可動部
３３１：孔
【図１】
2011252323.tif 000003
【図２Ａ】
2011252323.tif 000004
【図２Ｂ】
2011252323.tif 000005
【図３】
2011252323.tif 000006
【図４】
2011252323.tif 000007
【図５】
2011252323.tif 000008
【図６】
2011252323.tif 000009
【図７】
2011252323.tif 000010
【図８】
2011252323.tif 000011
【図９】
2011252323.tif 000012
【図１０】
2011252323.tif 000013
【図１１】
2011252323.tif 000014
【図１２】
2011252323.tif 000015
【図１３Ａ】
2011252323.tif 000016
【図１３Ｂ】
2011252323.tif 000017
【図１４】
2011252323.tif 000018
【図１５Ａ】
2011252323.tif 000019
【図１５Ｂ】
2011252323.tif 000020
【図１６】
2011252323.tif 000021